【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
印刷処理されるべく待機する既存印刷ジョブと前記既存印刷ジョブの出力設定情報とを関連づけて保持する保持手段と、
クライアント端末から受信した新たに印刷対象となる対象印刷ジョブと合成可能な既存印刷ジョブを、前記保持手段に保持された出力設定情報と前記対象印刷ジョブの出力設定情報とに基づいて、前記保持手段に保持された既存印刷ジョブから検索する検索手段と、
前記検索手段によって検索された既存印刷ジョブに関する情報を前記クライアント端末に送信する送信手段と
を備えることを特徴とする印刷制御装置。
【請求項２】
前記検索手段は、前記クライアント端末から受信した前記対象印刷ジョブの出力設定情報の設定値と前記保持手段に保持された前記既存印刷ジョブの出力設定情報の設定値との差があらかじめ定めた許容範囲内であり、前記対象印刷ジョブの印刷範囲を収めることが可能な空領域を前記出力設定情報で設定された用紙上に有する既存印刷ジョブを前記保持手段から検索することを特徴とする請求項１に記載の印刷制御装置。
【請求項３】
前記出力設定情報は、用紙タイプと出力枚数の少なくとも１つであることを特徴とする請求項２に記載の印刷制御装置。
【請求項４】
前記送信手段によって送信される前記既存印刷ジョブに関する情報は、前記既存印刷ジョブの出力設定情報および前記既存印刷ジョブの画像データの少なくとも１つであることを特徴とする請求項１乃至３のいずれか１項に記載の印刷制御装置。
【請求項５】
前記クライアント端末から、選択された既存印刷ジョブの識別子と合成位置とを受信し、前記対象印刷ジョブの印刷範囲が前記合成位置に配置されるよう、前記対象印刷ジョブと前記識別子で特定される前記既存印刷ジョブと合成する合成手段と、
前記合成手段によって合成された合成印刷ジョブの印刷物を断裁することにより分割された各用紙に前記対象印刷ジョブと前記既存印刷ジョブが配置されるような断裁設定情報を設定する設定手段と
をさらに備えることを特徴とする請求項１乃至４のいずれか１項に記載の印刷制御装置。
【請求項６】
印刷処理されるべく待機する既存印刷ジョブと、前記既存印刷ジョブの出力設定情報とを対応付けて保持する保持手段と、
新たに印刷対象となる対象印刷ジョブと合成可能な既存印刷ジョブを、前記対象印刷ジョブに設定されている出力設定情報と前記保持手段に保持されている出力設定情報とに基づいて、前記保持手段に保持された既存印刷ジョブから検索する検索手段と、
前記検索手段によって検索された既存印刷ジョブと前記対象印刷ジョブとを合成する合成手段と
を備えることを特徴とする印刷制御装置。
【請求項７】
印刷装置にて印刷される印刷ジョブを生成するクライアント端末と、前記クライアント端末から送信された印刷ジョブを合成する印刷制御装置とを備える印刷システムであって、
前記印刷制御装置は、
印刷処理されるべく待機する既存印刷ジョブと、前記既存印刷ジョブの出力設定情報とを関連付けて保持する保持手段と、
前記クライアント端末から受信した出力設定情報を有する対象印刷ジョブと合成可能な既存印刷ジョブを、前記保持手段に保持された出力設定情報と前記対象印刷ジョブの出力設定情報とに基づいて、前記保持手段に保持された既存印刷ジョブから検索する検索手段と、
前記検索手段によって検索された既存印刷ジョブに関する情報を前記クライアント端末に送信する第１送信手段を備え、
前記クライアント端末は、
前記送信手段により送信される前記既存印刷ジョブに関する情報に基づく印刷ジョブを表示するプレビュー表示手段と、
前記プレビュー表示手段による表示される前記既存印刷ジョブに基づくプレビュー画像から、既存印刷ジョブの選択を受け付ける受け付け手段と、
前記受け付け手段により選択を受け付けた既存印刷ジョブの識別子を前記印刷制御装置に対して送信する第２送信手段とを備え、
前記印刷制御装置は、前記対象印刷ジョブと前記第２送信手段によって送信された識別子に対応する既存印刷ジョブとを合成する合成手段を更に備えることを特徴とする印刷システム。
【請求項８】
印刷処理されるべく待機する既存印刷ジョブと前記既存印刷ジョブの出力設定情報とを関連づけて保持する保持手段と、検索手段と、送信手段とを備えた印刷制御装置の制御方法であって、
前記検索手段が、クライアント端末から受信した新たに印刷対象となる対象印刷ジョブと合成可能な既存印刷ジョブを、前記保持手段に保持された出力設定情報と前記対象印刷ジョブの出力設定情報とに基づいて、前記保持手段に保持された既存印刷ジョブから検索する検索工程と、
前記送信手段が、前記検索工程によって検索された既存印刷ジョブに関する情報を前記クライアント端末に送信する送信工程と
を有することを特徴とする印刷制御装置の制御方法。
【請求項９】
前記検索工程では、前記クライアント端末から受信した前記対象印刷ジョブの出力設定情報の設定値と前記保持手段に保持された前記既存印刷ジョブの出力設定情報の設定値との差があらかじめ定めた許容範囲内であり、前記対象印刷ジョブの印刷範囲を収めることが可能な空領域を前記出力設定情報で設定された用紙上に有する既存印刷ジョブを前記保持手段から検索することを特徴とする請求項８に記載の印刷制御装置の制御方法。
【請求項１０】
前記出力設定情報は、用紙タイプと出力枚数の少なくとも１つであることを特徴とする請求項９に記載の印刷制御装置の制御方法。
【請求項１１】
前記送信工程によって送信される前記既存印刷ジョブに関する情報は、前記既存印刷ジョブの出力設定情報および前記既存印刷ジョブの画像データの少なくとも１つであることを特徴とする請求項８乃至１０のいずれか１項に記載の印刷制御装置の制御方法。
【請求項１２】
前記印刷制御装置は合成手段と設定手段とを更に備え、
前記合成手段が、前記クライアント端末から、選択された既存印刷ジョブの識別子と合成位置とを受信し、前記対象印刷ジョブの印刷範囲が前記合成位置に配置されるよう、前記対象印刷ジョブと前記識別子で特定される前記既存印刷ジョブと合成する合成工程と、
前記設定手段が、前記合成工程によって合成された合成印刷ジョブの印刷物を断裁することにより分割された各用紙に前記対象印刷ジョブと前記既存印刷ジョブが配置されるような断裁設定情報を設定する設定工程と
をさらに有することを特徴とする請求項８乃至１１のいずれか１項に記載の印刷制御装置の制御方法。
【請求項１３】
印刷処理されるべく待機する既存印刷ジョブと、前記既存印刷ジョブの出力設定情報とを対応付けて保持する保持手段と、検索手段と、合成手段とを備えた印刷制御装置の制御方法であって、
前記検索手段が、新たに印刷対象となる対象印刷ジョブと合成可能な既存印刷ジョブを、前記対象印刷ジョブに設定されている出力設定情報と前記保持手段に保持されている出力設定情報とに基づいて、前記保持手段に保持された既存印刷ジョブから検索する検索工程と、
前記合成手段が、前記検索工程によって検索された既存印刷ジョブと前記対象印刷ジョブとを合成する合成工程と
を有することを特徴とする印刷制御装置の制御方法。
【請求項１４】
印刷装置にて印刷される印刷ジョブを生成するクライアント端末と、
印刷処理されるべく待機する既存印刷ジョブと前記既存印刷ジョブの出力設定情報とを関連付けて保持する保持手段とを備えた、前記クライアント端末から送信された印刷ジョブを合成する印刷制御装置と、
を備える印刷システムの制御方法であって、
前記印刷制御装置の検索手段が、前記クライアント端末から受信した出力設定情報を有する対象印刷ジョブと合成可能な既存印刷ジョブを、前記保持手段に保持された出力設定情報と前記対象印刷ジョブの出力設定情報とに基づいて、前記保持手段に保持された既存印刷ジョブから検索する検索工程と、
前記印刷制御装置の第１送信手段が、前記検索工程によって検索された既存印刷ジョブに関する情報を前記クライアント端末に送信する第１送信工程と、
前記クライアント端末のプレビュー表示手段が、前記第１送信工程により送信される前記既存印刷ジョブに関する情報に基づく印刷ジョブを表示するプレビュー表示工程と、
前記クライアント端末の受け付け手段が、前記プレビュー表示工程による表示される前記既存印刷ジョブに基づくプレビュー画像から、既存印刷ジョブの選択を受け付ける受け付け工程と、
前記クライアント端末の第２送信手段が、前記受け付け工程により選択を受け付けた既存印刷ジョブの識別子を前記印刷制御装置に対して送信する第２送信工程と、
前記印刷制御装置の合成手段が、前記対象印刷ジョブと前記第２送信工程によって送信された識別子に対応する既存印刷ジョブとを合成する合成工程と
を有することを特徴とする印刷システムの制御方法。
【請求項１５】
印刷処理されるべく待機する既存印刷ジョブと前記既存印刷ジョブの出力設定情報とを関連づけて保持する保持手段と、
前記クライアント端末から受信した新たに印刷対象となる対象印刷ジョブと合成可能な既存印刷ジョブを、前記保持手段に保持された出力設定情報と前記対象印刷ジョブの出力設定情報とに基づいて、前記保持手段に保持された前記既存印刷ジョブから検索する検索手段と、
前記検索手段によって検索された既存印刷ジョブに関する情報を前記クライアント端末に送信する送信手段と
してコンピュータを機能させるためのプログラム。
【請求項１６】
前記検索手段では、前記クライアント端末から受信した前記対象印刷ジョブの出力設定情報の設定値と前記保持手段に保持された前記既存印刷ジョブの出力設定情報の設定値との差があらかじめ定めた許容範囲内であり、前記対象印刷ジョブの印刷範囲を収めることが可能な空領域を前記出力設定情報で設定された用紙上に有する既存印刷ジョブを前記保持手段から検索することを特徴とする請求項１５に記載のプログラム。
【請求項１７】
前記出力設定情報は、用紙タイプと出力枚数の少なくとも１つであることを特徴とする請求項１６に記載のプログラム。
【請求項１８】
前記送信手段によって送信される前記既存印刷ジョブに関する情報は、前記既存印刷ジョブの出力設定情報および前記既存印刷ジョブの画像データの少なくとも１つであることを特徴とする請求項１５乃至１７のいずれか１項に記載のプログラム。
【請求項１９】
前記クライアント端末から選択された既存印刷ジョブの識別子と合成位置とを受信し、前記対象印刷ジョブの印刷範囲が前記合成位置に配置されるよう、前記対象印刷ジョブと前記識別子で特定される前記既存印刷ジョブと合成する合成手段と、
前記合成手段によって合成された合成印刷ジョブの印刷物を断裁することにより分割された各用紙に前記対象印刷ジョブと前記既存印刷ジョブが配置されるような断裁設定情報を設定する設定手段と
してコンピュータによりさらに機能させるための請求項１５乃至１８のいずれか１項に記載のプログラム。
【請求項２０】
印刷処理されるべく待機する既存印刷ジョブと、前記既存印刷ジョブの出力設定情報とを対応付けて保持する保持手段と、
新たに印刷対象となる対象印刷ジョブと合成可能な既存印刷ジョブを、前記対象印刷ジョブに設定されている出力設定情報と前記保持手段に保持されている出力設定情報とに基づいて、前記保持手段に保持された既存印刷ジョブから検索する検索手段と、
前記検索手段によって検索された既存印刷ジョブと前記対象印刷ジョブとを合成する合成手段と
してコンピュータを機能させるためのプログラム。
【手続補正２】
【補正対象書類名】明細書
【補正対象項目名】０００９
【補正方法】変更
【補正の内容】
【０００９】
上記目的を達成するために本発明は以下の構成を備える。すなわち、印刷処理されるべく待機する既存印刷ジョブと前記既存印刷ジョブの出力設定情報とを関連づけて保持する保持手段と、
前記クライアント端末から受信した新たに印刷対象となる対象印刷ジョブと合成可能な既存印刷ジョブを、前記保持手段に保持された出力設定情報と前記対象印刷ジョブの出力設定情報とに基づいて、前記保持手段に保持された前記既存印刷ジョブから検索する検索手段と、
前記検索手段によって検索された既存印刷ジョブに関する情報を前記クライアント端末に送信する送信手段とを備える。
また、印刷処理されるべく待機する既存印刷ジョブと、前記既存印刷ジョブの出力設定情報とを対応付けて保持する保持手段と、
新たに印刷対象となる対象印刷ジョブと合成可能な既存印刷ジョブを、前記対象印刷ジョブに設定されている出力設定情報と前記保持手段に保持されている出力設定情報とに基づいて、前記保持手段に保持された既存印刷ジョブから検索する検索手段と、
前記検索手段によって検索された既存印刷ジョブと前記対象印刷ジョブとを合成する合成手段とを備える。
【手続補正３】
【補正対象書類名】明細書
【補正対象項目名】００１０
【補正方法】変更
【補正の内容】
【００１０】
また、印刷装置にて印刷される印刷ジョブを生成するクライアント端末と、前記クライアント端末から送信された印刷ジョブを合成する印刷制御装置とを備える印刷システムであって、
前記印刷制御装置は、
印刷処理されるべく待機する既存印刷ジョブと、前記既存印刷ジョブの出力設定情報とを関連付けて保持する保持手段と、
前記クライアント端末から受信した出力設定情報を有する対象印刷ジョブと合成可能な既存印刷ジョブを、前記保持手段に保持された出力設定情報と前記対象印刷ジョブの出力設定情報とに基づいて、前記保持手段に保持された既存印刷ジョブから検索する検索手段と、
前記検索手段によって検索された既存印刷ジョブに関する情報を前記クライアント端末に送信する第１送信手段を備え、
前記クライアント端末は、
前記送信手段により送信される前記既存印刷ジョブに関する情報に基づく印刷ジョブを表示するプレビュー表示手段と、
前記プレビュー表示手段による表示される前記既存印刷ジョブに基づくプレビュー画像から、既存印刷ジョブの選択を受け付ける受け付け手段と、
前記受け付け手段により選択を受け付けた既存印刷ジョブの識別子を前記印刷制御装置に対して送信する第２送信手段とを備え、
前記印刷制御装置は、前記対象印刷ジョブと前記第２送信手段によって送信された識別子に対応する既存印刷ジョブとを合成する合成手段を更に備える。